(57)【要約】【課題】  画像を表示した状態で表示面の清掃が必要か否かをユーザーに通知すること。【解決手段】  ＭＦＰは、画像を表示するＬＣＤと、ＬＣＤに重畳して設けられ、表示面中で指示された位置を検出するタッチパネルと、タッチパネルにより検出される位置が第１の検出条件を満たす場合に、指示操作を検出する指示検出部５１と、使用回数をカウントする使用回数カウント部５３と、タッチパネルにより検出される位置が第２の検出条件を満たす場合に、拭き取り操作を検出する拭き取り操作検出部５９と、拭き取り操作回数をカウントする拭き取り操作回数カウント部６１と、指示回数および拭き取り操作回数に基づいて、ＬＣＤの表示モードを通常モードと通常モードとは画像の表示態様が異なる清掃モードとのいずれかに設定するモード切換部５５と、を備える。【選択図】        図４
2013019932.tif 000002
【特許請求の範囲】
【請求項１】
画像を表示する表示手段と、
前記表示手段に重畳して設けられ、前記表示手段の表示面中で指示された位置を検出する検出手段と、
前記検出手段により検出される位置が第１の検出条件を満たす場合に、指示操作を検出する指示検出手段と、
前記指示検出手段により指示操作が検出されることに応じて、前記検出手段が使用された回数をカウントする使用回数カウント手段と、
前記検出手段により検出される位置が第２の検出条件を満たす場合に、拭き取り操作を検出する拭き取り操作検出手段と、
前記拭き取り操作検出手段により拭き取り操作が検出されることに応じて、前記表示手段の表示面を拭き取る拭き取り操作の回数をカウントする拭き取り操作回数カウント手段と、
前記カウントされた指示回数および前記カウントされた拭き取り操作回数に基づいて、前記表示手段の表示モードを通常モードと前記通常モードとは前記表示手段に表示する画像の表示態様が異なる清掃モードとのいずれかに設定するモード切換手段と、を備えた画像処理装置。
【請求項２】
前記指示検出手段は、前記検出手段により連続して検出される１以上の位置が前記表示面を分割した複数の分割領域の１つの分割領域内の場合に、指示操作を検出し、
前記使用回数カウント手段は、前記指示検出手段により指示が検出されることに応じて、前記複数の分割領域ごとに指示回数をカウントし、
前記モード切換手段は、前記複数の分割領域ごとにカウントされた指示回数が第１切換条件を満たす場合に、表示モードを通常モードから清掃モードに切り換える、請求項１に記載の画像処理装置。
【請求項３】
前記拭き取り操作検出手段は、検出手段により連続して検出される複数の位置が前記表示面を分割した複数の分割領域のうち隣接する２以上の分割領域内の場合に、拭き取り操作を検出し、
前記拭き取り操作カウント手段は、前記拭き取り操作検出手段により拭き取り操作が検出されることに応じて、前記複数の分割領域ごとに拭き取り操作回数をカウントし、
前記モード切換手段は、前記複数の分割領域ごとにカウントされた拭き取り操作回数が第２切換条件を満たす場合に、表示モードを清掃モードから通常モードに切り換える、請求項２に記載の画像処理装置。
【請求項４】
前記拭き取り操作検出手段により拭き取り操作が検出されることに応じて、前記検出された拭き取り操作が前記表示手段の表示面中で検出された位置を含む履歴を記憶する履歴記憶手段を、さらに備えた請求項３に記載の画像処理装置。
【請求項５】
表示モードが前記清掃モードに設定されている間は、前記表示手段に表示される操作画面の明度を、通常モードに設定されている間に前記表示手段に表示される操作画面の明度と異ならせる表示制御手段を、さらに備えた請求項１に記載の画像処理装置。
【請求項６】
前記指示検出手段は、前記検出手段により連続して検出される１以上の位置が前記表示面を分割した複数の分割領域の１つの分割領域内の場合に、指示操作を検出し、
前記使用回数カウント手段は、前記指示検出手段により指示が検出されることに応じて、前記複数の分割領域ごとに指示回数をカウントし、
前記モード切換手段は、前記複数の分割領域ごとにカウントされた指示回数が第１切換条件を満たす場合に、表示モードを通常モードから清掃モードに切り換え、
前記表示制御手段は、前記複数の分割領域ごとにカウントされた指示回数に基づいて、前記操作画面の明度を部分的に決定する明度決定手段を含む請求項５に記載の画像処理装置。
【請求項７】
前記拭き取り操作検出手段は、検出手段により連続して検出される複数の位置が前記表示面を分割した複数の分割領域のうち隣接する２以上の分割領域内の場合に、拭き取り操作を検出し、
前記拭き取り操作カウント手段は、前記拭き取り操作検出手段により拭き取り操作が検出されることに応じて、前記複数の分割領域ごとに拭き取り操作回数をカウントし、
前記モード切換手段は、前記複数の分割領域ごとにカウントされた拭き取り操作回数が第２切換条件を満たす場合に、表示モードを清掃モードから通常モードに切り換え、
前記表示制御手段は、前記複数の分割領域ごとにカウントされた拭き取り操作回数に基づいて、前記明度決定手段により前記複数の分割領域ごとに決定された明度を変化させる明度変更手段を、さらに含む、請求項６に記載の画像処理装置。
【請求項８】
外部の明るさを検出する明るさ検出手段をさらに備え、
前記明度決定手段は、前記検出された外部の明るさに基づいて、前記操作画面の明度を補正する補正手段を含む、請求項６または７に記載の画像処理装置。
【請求項９】
表示モードを清掃モードから通常モードに切り換える場合、前記複数の分割領域ごとにカウントされた指示回数および拭き取り操作回数をリセットするリセット手段をさらに備えた、請求項１〜８のいずれかに記載の画像処理装置。
【請求項１０】
画像を表示する表示手段と、
前記表示手段に重畳して設けられ、前記表示手段の表示面中で指示された位置を検出する検出手段と、を備えた画像処理装置で実行される表示制御方法であって、
前記検出手段により検出される位置が第１の検出条件を満たす場合に、指示操作を検出するステップと、
前記指示操作を検出するステップにおいて指示が検出されることに応じて、前記検出手段が使用された回数をカウントするステップと、
前記検出手段により検出される位置が第２の検出条件を満たす場合に、拭き取り操作を検出するステップと、
前記拭き取り操作を検出するステップにおいて拭き取り操作が検出されることに応じて、前記表示手段の表示面を拭き取る拭き取り操作の回数をカウントするステップと、
前記カウントされた指示回数および前記カウントされた拭き取り操作回数に基づいて、前記表示手段の表示モードを通常モードと前記通常モードとは前記表示手段に表示する画像の表示態様が異なる清掃モードとのいずれかに設定するステップと、を含む表示制御方法。
【請求項１１】
画像を表示する表示手段と、
前記表示手段に重畳して設けられ、前記表示手段の表示面中で指示された位置を検出する検出手段と、を備えた画像処理装置を制御するコンピュータで実行される表示制御プログラムであって、
前記検出手段により検出される位置が第１の検出条件を満たす場合に、指示操作を検出するステップと、
前記指示操作を検出するステップにおいて指示が検出されることに応じて、前記検出手段が使用された回数をカウントするステップと、
前記検出手段により検出される位置が第２の検出条件を満たす場合に、拭き取り操作を検出するステップと、
前記拭き取り操作を検出するステップにおいて拭き取り操作が検出されることに応じて、前記表示手段の表示面を拭き取る拭き取り操作の回数をカウントするステップと、
前記カウントされた指示回数および前記カウントされた拭き取り操作回数に基づいて、前記表示手段の表示モードを通常モードと前記通常モードとは前記表示手段に表示する画像の表示態様が異なる清掃モードとのいずれかに設定するステップと、を前記コンピュータに実行させる表示制御プログラム。
【発明の詳細な説明】
【技術分野】
【０００１】
この発明は画像処理装置、表示制御方法および表示制御プログラムに関し、特に、ソフトキーボードを用いた画像処理装置、その画像処理装置で実行される表示制御方法および表示制御プログラムに関する。
【背景技術】
【０００２】
近年、複合機（ＭＦＰ）で代表される画像形成装置において、ユーザーインターフェースとしてディスプレイとタッチパネルとを組み合わせたソフトキーボードが用いられる。ユーザーは、画面上に表示されたボタンを指示すれば、操作を入力することができ、便利である。一方、表示面を指で触れるためタッチパネルに汚れが付着する場合があり、タッチパネルを清掃する必要がある。特開２０１０−３２６７９号公報には、電子機器は、ＬＣＤと、タッチパネルと、タッチパネルの操作や各種ハードスイッチの操作を検知する入力検知部と、ＬＣＤへの表示を制御する表示制御部とを有し、表示制御部は、入力検知部を介して、画面の清掃モードを開始する指示を受け付けると、色が異なる複数の画像を順次切り替えてＬＣＤに表示させる電子機器が記載されている。
【０００３】
しかしながら、従来の電子機器においては、清掃モードに切り換えるためには、ユーザーが清掃モードに切り換える指示を入力しなければならない。また、清掃モードに切り換える指示をしたユーザーが、その場を離れた場合には、他のユーザーは、ＬＣＤの表示から、清掃モードであることを必ずしも認識することができず、白色の画像が表示されている場合には故障と誤認したり、黒色の画像が表示されている場合にはスリープモードと誤認したりしてしまうといった問題があった。
【特許文献１】特開２０１０−３２６７９号公報
【発明の概要】
【発明が解決しようとする課題】
【０００４】
この発明は上述した問題点を解決するためになされたもので、この発明の目的の１つは、画像を表示した状態で表示面の清掃が必要か否かをユーザーに通知することが可能な画像処理装置を提供することである。
【０００５】
この発明の他の目的は、画像を表示した状態で表示面の清掃が必要か否かをユーザーに通知することが可能な表示制御方法を提供することである。
【０００６】
この発明の他の目的は、画像を表示した状態で表示面の清掃が必要か否かをユーザーに通知することが可能な表示制御プログラムを提供することである。
【課題を解決するための手段】
【０００７】
上述した目的を達成するためにこの発明のある局面によれば、画像処理装置は、画像を表示する表示手段と、表示手段に重畳して設けられ、表示手段の表示面中で指示された位置を検出する検出手段と、検出手段により検出される位置が第１の検出条件を満たす場合に、指示操作を検出する指示検出手段と、指示検出手段により指示操作が検出されることに応じて、検出手段が使用された回数をカウントする使用回数カウント手段と、検出手段により検出される位置が第２の検出条件を満たす場合に、拭き取り操作を検出する拭き取り操作検出手段と、拭き取り操作検出手段により拭き取り操作が検出されることに応じて、表示手段の表示面を拭き取る拭き取り操作の回数をカウントする拭き取り操作回数カウント手段と、カウントされた指示回数およびカウントされた拭き取り操作回数に基づいて、表示手段の表示モードを通常モードと通常モードとは表示手段に表示する画像の表示態様が異なる清掃モードとのいずれかに設定するモード切換手段と、を備える。
【０００８】
この局面に従えば、表示面中で指示された位置が検出されると、検出される位置が第１の検出条件を満たす場合に、指示操作が検出され、指示操作が検出されることに応じて、使用された回数がカウントされ、表示面中で指示された位置が検出されると、検出される位置が第２の検出条件を満たす場合に、拭き取り操作が検出され、拭き取り操作が検出されることに応じて、拭き取り操作の回数がカウントされ、指示回数および拭き取り操作回数に基づいて、表示モードが、通常モードと通常モードとは画像の表示態様が異なる清掃モードとのいずれかに設定される。指示回数および拭き取り操作回数に基づいて、表示モードが設定されるので、清掃時期をユーザーに通知することができる。また、通常モードと清掃モードとでは、画像の表示態様が異なるので、表示態様の違いから表示モードをユーザーに通知することができる。その結果、画像を表示した状態で表示面の清掃が必要か否かをユーザーに通知することが可能な画像処理装置を提供することができる。
【０００９】
好ましくは、指示検出手段は、検出手段により連続して検出される１以上の位置が表示面を分割した複数の分割領域の１つの分割領域内の場合に、指示操作を検出し、使用回数カウント手段は、指示検出手段により指示が検出されることに応じて、複数の分割領域ごとに指示回数をカウントし、モード切換手段は、複数の分割領域ごとにカウントされた指示回数が第１切換条件を満たす場合に、表示モードを通常モードから清掃モードに切り換える。
【００１０】
好ましくは、拭き取り操作検出手段は、検出手段により連続して検出される複数の位置が表示面を分割した複数の分割領域のうち隣接する２以上の分割領域内の場合に、拭き取り操作を検出し、拭き取り操作カウント手段は、拭き取り操作検出手段により拭き取り操作が検出されることに応じて、複数の分割領域ごとに拭き取り操作回数をカウントし、モード切換手段は、複数の分割領域ごとにカウントされた拭き取り操作回数が第２切換条件を満たす場合に、表示モードを清掃モードから通常モードに切り換える。
【００１１】
好ましくは、拭き取り操作検出手段により拭き取り操作が検出されることに応じて、検出された拭き取り操作が表示手段の表示面中で検出された位置を含む履歴を記憶する履歴記憶手段を、さらに備える。
【００１２】
好ましくは、表示モードが清掃モードに設定されている間は、表示手段に表示される操作画面の明度を、通常モードに設定されている間に表示手段に表示される操作画面の明度と異ならせる表示制御手段を、さらに備える。
【００１３】
この局面に従えば、通常モードと清掃モードとで、表示される操作画面の明度がことなるので、明度の違いから表示モードをユーザーに通知することができる。
【００１４】
好ましくは、指示検出手段は、検出手段により連続して検出される１以上の位置が表示面を分割した複数の分割領域の１つの分割領域内の場合に、指示操作を検出し、使用回数カウント手段は、指示検出手段により指示が検出されることに応じて、複数の分割領域ごとに指示回数をカウントし、モード切換手段は、複数の分割領域ごとにカウントされた指示回数が第１切換条件を満たす場合に、表示モードを通常モードから清掃モードに切り換え、表示制御手段は、複数の分割領域ごとにカウントされた指示回数に基づいて、操作画面の明度を部分的に決定する明度決定手段を含む。
【００１５】
この局面に従えば、表示面を分割した複数の分割領域各々において、指示回数によって明度が異なるので、複数の分割領域ごとに指示回数をユーザーに通知することができる。
【００１６】
好ましくは、拭き取り操作検出手段は、検出手段により連続して検出される複数の位置が表示面を分割した複数の分割領域のうち隣接する２以上の分割領域内の場合に、拭き取り操作を検出し、拭き取り操作カウント手段は、拭き取り操作検出手段により拭き取り操作が検出されることに応じて、複数の分割領域ごとに拭き取り操作回数をカウントし、モード切換手段は、複数の分割領域ごとにカウントされた拭き取り操作回数が第２切換条件を満たす場合に、表示モードを清掃モードから通常モードに切り換え、表示制御手段は、複数の分割領域ごとにカウントされた拭き取り操作回数に基づいて、明度決定手段により複数の分割領域ごとに決定された明度を変化させる明度変更手段を、さらに含む。
【００１７】
この局面に従えば、表示面を分割した複数の分割領域各々において、拭き取り操作回数によって明度が異なるので、複数の分割領域ごとに拭き取り操作回数をユーザーに通知することができる。
【００１８】
好ましくは、外部の明るさを検出する明るさ検出手段をさらに備え、明度決定手段は、検出された外部の明るさに基づいて、操作画面の明度を補正する補正手段を含む。
【００１９】
この局面に従えば、環境の変化に対応して見やすい画面を表示することができる。
【００２０】
好ましくは、表示モードを清掃モードから通常モードに切り換える場合、複数の分割領域ごとにカウントされた指示回数および拭き取り操作回数をリセットするリセット手段をさらに備える。
【００２１】
この発明の他の局面によれば、表示制御方法は、画像を表示する表示手段と、表示手段に重畳して設けられ、表示手段の表示面中で指示された位置を検出する検出手段と、を備えた画像処理装置で実行される表示制御方法であって、検出手段により検出される位置が第１の検出条件を満たす場合に、指示操作を検出するステップと、指示操作を検出するステップにおいて指示が検出されることに応じて、検出手段が使用された回数をカウントするステップと、検出手段により検出される位置が第２の検出条件を満たす場合に、拭き取り操作を検出するステップと、拭き取り操作を検出するステップにおいて拭き取り操作が検出されることに応じて、表示手段の表示面を拭き取る拭き取り操作の回数をカウントするステップと、カウントされた指示回数およびカウントされた拭き取り操作回数に基づいて、表示手段の表示モードを通常モードと通常モードとは表示手段に表示する画像の表示態様が異なる清掃モードとのいずれかに設定するステップと、を含む。
【００２２】
この局面に従えば、画像を表示した状態で表示面の清掃が必要か否かをユーザーに通知することが可能な表示制御方法を提供することができる。
【００２３】
この発明のさらに他の局面によれば、表示制御プログラムは、画像を表示する表示手段と、表示手段に重畳して設けられ、表示手段の表示面中で指示された位置を検出する検出手段と、を備えた画像処理装置を制御するコンピュータで実行される表示制御プログラムであって、検出手段により検出される位置が第１の検出条件を満たす場合に、指示操作を検出するステップと、指示操作を検出するステップにおいて指示が検出されることに応じて、検出手段が使用された回数をカウントするステップと、検出手段により検出される位置が第２の検出条件を満たす場合に、拭き取り操作を検出するステップと、拭き取り操作を検出するステップにおいて拭き取り操作が検出されることに応じて、表示手段の表示面を拭き取る拭き取り操作の回数をカウントするステップと、カウントされた指示回数およびカウントされた拭き取り操作回数に基づいて、表示手段の表示モードを通常モードと通常モードとは表示手段に表示する画像の表示態様が異なる清掃モードとのいずれかに設定するステップと、をコンピュータに実行させる。
【００２４】
この局面に従えば、画像を表示した状態で表示面の清掃が必要か否かをユーザーに通知することが可能な表示制御プログラムを提供することができる。
【図面の簡単な説明】
【００２５】
【図１】本実施の形態におけるＭＦＰの外観を示す斜視図である。
【図２】ＭＦＰのハードウェア構成の概要を示すブロック図である。
【図３】操作パネルの平面図である。
【図４】ＭＦＰが備えるＣＰＵが有する機能の一例を示すブロック図である。
【図５】レベルテーブルの一例を示す図である。
【図６】（Ａ）は複数に分割された分割領域それぞれの低減レベルの一例を示す図であり、（Ｂ）は複数に分割された分割領域それぞれの拭き取り操作回数を示す図であり、（Ｃ）は複数に分割された分割領域それぞれの拭き取り操作後の低減レベルの一例を示す図である。
【図７】表示モード切換処理の流れの一例を示すフローチャートである。
【図８】表示態様変更処理の流れの一例を示すフローチャートである。
【発明を実施するための形態】
【００２６】
以下、本発明の実施の形態を図面を参照して説明する。以下の説明では同一の部品には同一の符号を付してある。それらの名称および機能も同じである。したがって、それらについての詳細な説明は繰り返さない。
【００２７】
図１は、本実施の形態におけるＭＦＰの外観を示す斜視図である。図２は、ＭＦＰのハードウェア構成の概要を示すブロック図である。図１および図２を参照して、画像処理装置として機能するＭＦＰ１００は、メイン回路１１０と、原稿を読み取るための原稿読取部１３０と、原稿を原稿読取部１３０に搬送するための自動原稿搬送装置１２０と、原稿読取部１３０が原稿を読み取って出力する画像データに基づいて用紙等に画像を形成するための画像形成部１４０と、画像形成部１４０に用紙を供給するための給紙部１５０と、ユーザーインターフェースとしての操作パネル１６０とを含む。
【００２８】
メイン回路１１０は、ＣＰＵ１１１と、通信インターフェース（Ｉ／Ｆ）部１１２と、ＲＯＭ１１３と、ＲＡＭ１１４と、大容量記憶装置としてのハードディスクドライブ（ＨＤＤ）１１５と、ファクシミリ部１１６と、外部記憶装置１１７と、を含む。ＣＰＵ１１１は、自動原稿搬送装置１２０、原稿読取部１３０、画像形成部１４０、給紙部１５０および操作パネル１６０と接続され、ＭＦＰ１００の全体を制御する。
【００２９】
自動原稿搬送装置１２０は、原稿給紙トレイ上にセットされた複数枚の原稿を１枚ずつ自動的に原稿読取部１３０のプラテンガラス上に設定された所定の原稿読み取り位置まで搬送し、原稿読取部１３０により原稿画像が読み取られた原稿を原稿排紙トレイ上に排出する。原稿読取部１３０は、原稿読取位置に搬送されてきた原稿に光を照射する光源と、原稿で反射した光を受光する光電変換素子とを含み、原稿のサイズに応じた原稿画像を走査する。光電変換素子は、受光した光を電気信号である画像データに変換して、画像形成部１４０に出力する。給紙部１５０は、給紙トレイに収納された用紙を画像形成部１４０に搬送する。
【００３０】
画像形成部１４０は、周知の電子写真方式により画像を形成するものであって、原稿読取部１３０から入力される画像データにシェーディング補正などの各種のデータ処理を施した、データ処理後の画像データまたは、外部から受信された画像データに基づいて、給紙部１５０により搬送される用紙に画像を形成する。
【００３１】
ファクシミリ部１１６は、公衆交換電話網（ＰＳＴＮ）に接続され、ＰＳＴＮにファクシミリデータを送信する、またはＰＳＴＮからファクシミリデータを受信する。ファクシミリ部１１６は、受信したファクシミリデータを、画像形成部１４０でプリント可能なプリントデータに変換して、画像形成部１４０に出力する。これにより、画像形成部１４０は、ファクシミリ部１１６により受信されたファクシミリデータを用紙に画像を形成する。また、ファクシミリ部１１６は、受信されたファクシミリデータをＨＤＤ１１５に記憶することも可能である。さらに、ファクシミリ部１１６は、原稿読取部１３０により読み取られた原稿画像の画像データ、またはＨＤＤ１１５に記憶されたデータをファクシミリデータに変換して、ＰＳＴＮに接続されたファクシミリ装置に送信する。
【００３２】
通信Ｉ／Ｆ部１１２は、ネットワークにＭＦＰ１００を接続するためのインターフェースである。通信Ｉ／Ｆ部１１２は、ＴＣＰ（Ｔｒａｎｓｍｉｓｓｉｏｎ  Ｃｏｎｔｒｏｌ  Ｐｒｏｔｏｃｏｌ）またはＦＴＰ（Ｆｉｌｅ  Ｔｒａｎｓｆｅｒ  Ｐｒｏｔｏｃｏｌ）等の通信プロトコルで、ネットワークに接続された他のコンピュータまたは画像形成装置と通信する。なお、通信Ｉ／Ｆ部１１２が接続されるネットワークは、接続形態は有線または無線を問わない。またネットワークは、ＬＡＮに限らず、ワイドエリアネットワーク（ＷＡＮ）、公衆交換電話網（ＰＳＴＮ）、インターネット等であってもよい。
【００３３】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。また、ＲＡＭ１１４は、原稿読取部１３０から連続的に送られてくる読取画像を一時的に記憶する。
【００３４】
操作パネル１６０は、液晶表示装置（ＬＣＤ）１６５と、ＬＣＤ１６５の表示を制御する表示制御部１６１と、ＶＲＡＭ（Ｖｉｄｅｏ  ＲＡＭ）１６３と、タッチパネル１６９と、ハードキー部１７０と、タッチパネル１６９およびハードキー部１７０を制御する入力制御部１６７と、明るさセンサー１７５と、ＬＥＤ（Ｌｉｇｈｔ  Ｅｍｉｔｔｉｎｇ  Ｄｉｏｄｅ）１７７と、を含む。ＬＣＤ１６５、ハードキー部１７０、明るさセンサー１７５およびＬＥＤ１７７は、ＭＦＰ１００の上面に設けられる。
【００３５】
表示制御部１６１は、ＣＰＵ１１１、ＶＲＡＭ１６３およびＬＣＤ１６５と接続される。ＶＲＡＭ１６３は、表示制御部１６１の作業領域として用いられ、ＬＣＤ１６５に表示する画像を一時記憶する。表示制御部１６１は、ＣＰＵ１１１により制御されて、ＬＣＤ１６５を制御し、ＬＣＤ１６５にＶＲＡＭ１６３に記憶された画像を表示させる。
【００３６】
ハードキー部１７０は、スタートキーを少なくとも含むハードキーを含む。ハードキーは、入力制御部１６７に接続され、ユーザーにより押下されている間はＯＮ信号を入力制御部１６７に出力し、ユーザーにより押下されていない間はＯＦＦ信号を入力制御部１６７に出力する。
【００３７】
タッチパネル１６９は、ＬＣＤ１６５の上面または下面に設けられ、ユーザーにより押下された位置の座標を入力制御部１６７に出力する。タッチパネル１６９は、ユーザーが指等で指示した位置を検出し、検出した位置の座標を入力制御部１６７に出力する。タッチパネル１６９は、ＬＣＤ１６５の表示面と同じまたはそれ以上のサイズであるのが好ましい。タッチパネル１６９は、ＬＣＤ１６５に重畳して設けられるので、タッチパネル１６９は、ユーザーがＬＣＤ１６５の表示面を指示すれば、ＬＣＤ１６５の表示面中でユーザーが指示した位置の座標を入力制御部１６７に出力する。タッチパネルは、例えば、抵抗膜方式、表面弾性波方式、赤外線方式、電磁誘導方式、静電容量方式を用いることができ、その方式は限定されない。
【００３８】
入力制御部１６７は、ハードキー部１７０のうちでＯＮ信号を出力するハードキーが存在する場合、ＯＮ信号を出力するハードキーの識別情報をＣＰＵ１１１に出力する。また、入力制御部１６７は、タッチパネル１６９がユーザーにより指示された位置を検出する場合、タッチパネル１６９から出力される座標をＣＰＵ１１１に出力する。
【００３９】
明るさセンサー１７５は、ＣＣＤ（Ｃｈａｒｇｅ  Ｃｏｕｐｌｅｄ  Ｄｅｖｉｃｅｓ）等の光電変換素子であり、外部から入射する光の量を検出し、検出した光量をＣＰＵ１１１に出力する。ＬＥＤ１７７は、ＣＰＵ１１１により制御されて、表示モードが清掃モードの間は点灯または点滅し、表示モードが通常モードの間は消灯する。なお、ＬＥＤ１７７に代えて、電球などのランプを用いるようにしてもよい。
【００４０】
外部記憶装置１１７は、ＣＰＵ１１１により制御され、ＣＤ−ＲＯＭ（Ｃｏｍｐａｃｔ  Ｄｉｓｋ  Ｒｅａｄ  Ｏｎｌｙ  Ｍｅｍｏｒｙ）１１８、または半導体メモリが装着される。
【００４１】
図３は、操作パネル１６０の平面図である。図３を参照して、操作パネル１６０は、ＬＣＤ１６５と、ＬＣＤ１６５に重畳して設けられたタッチパネル１６９と、ＬＣＤ１６５の右上に配置された明るさセンサー１７５と、ＬＣＤ１６５の左上に配置されたＬＥＤ１７７と、ＬＣＤ１６５の右側および下方に複数のハードキーが配置されたハードキー部１７０と、を含む。ハードキー部１７０は、スタートキー１７１を含む。
【００４２】
図４は、ＭＦＰが備えるＣＰＵが有する機能の一例を示すブロック図である。図４に示す機能は、ＭＦＰ１００が備えるＣＰＵ１１１が、ＲＯＭ１１３、ＨＤＤ１１５またはＣＤ−ＲＯＭ１１８に記憶されたプログラムを実行することにより、ＣＰＵ１１１により実現される機能である。図４を参照して、ＣＰＵ１１１は、ユーザーによるタッチパネル１６９に対する指示を検出する指示検出部５１と、タッチパネル１６９が使用された回数をカウントする使用回数カウント部５３と、表示モードを切り換えるモード切換部５５と、ＬＣＤ１６０に表示される画像の表示態様を制御する表示態様制御部５７と、ユーザーによるタッチパネル１６９を拭き取る操作を検出する拭き取り操作検出部５９と、拭き取り操作の回数をカウントする拭き取り操作回数カウント部６１と、リセット部６３と、拭き取り操作の履歴をＨＤＤ１１５に記憶する履歴記憶部６５と、明るさ検出部６７と、を含む。
【００４３】
指示検出部５１は、タッチパネル１６９の出力が入力され、タッチパネル１６９から入力される座標が第１の検出条件を満たす場合に、タッチパネル１６９またはＬＣＤ１６５の表示面をユーザーが指示する指示操作を検出する。タッチパネル１６９またはＬＣＤ１６５の表示面をユーザーが指示すると、タッチパネル１６９は表示面中の指示された位置の座標を出力する。タッチパネル１６９は、所定の時間間隔で指示された位置の座標を出力する。ユーザーが表示面を指示する時間は、ユーザーにより異なる。タッチパネル１６９は、表示面が指示されている間は、指示されている位置の座標を出力する。換言すれば、ユーザーが表示面を指示している間は、タッチパネル１６９は連続して複数の座標を出力するが、ユーザーが表示面を指示しなくなると、タッチパネル１６９は座標の出力を中止する。
【００４４】
指示検出部５１は、タッチパネル１６９が、表示面が指示されている間に連続して出力する１以上の座標を受け付ける。ユーザーが同じ位置を指示すれば、連続して受け付けられる１以上の座標は同じである。本実施の形態においては、ユーザーが指示する操作を検出するために、ＬＣＤ１６５の表示面を分割した複数の分割領域の１つの分割領域内に含まれる複数の座標のいずれかが指示されている間は、複数の座標が異なる場合であっても１回の指示操作とする。複数の分割領域のサイズは、たとえば、ＬＣＤ１６５に表示される複数種類のボタンのうち最小サイズのボタン以下のサイズとすればよい。
【００４５】
第１の検出条件は、タッチパネル１６９により連続して検出される１以上の位置がＬＣＤ１６５の表示面を分割した複数の分割領域の１つの分割領域内に存在することである。すなわち、指示検出部５１は、タッチパネル１６９から連続して入力される１以上の座標がＬＣＤ１６９の表示面を分割した複数の分割領域のうちの１つの分割領域に含まれるならば、ユーザーによる指示操作と判断する。しかしながら、指示検出部５１は、タッチパネル１６９から連続して１以上の座標がＬＣＤ１６９の表示面を分割した複数の分割領域のうち異なる２以上の分割領域に含まれるならばユーザーによる指示操作と判断しない。指示検出部５１は、ユーザーによる指示操作を検出する場合、指示操作を特定する情報として、タッチパネル１６９より連続して入力される１以上の座標のうちの任意の１つを、使用回数カウント部５３に出力する。
【００４６】
拭き取り操作検出部５９は、タッチパネル１６９の出力が入力され、タッチパネル１６９から入力される座標が第１の検出条件を満たす場合に、タッチパネル１６９またはＬＣＤ１６５の表示面をユーザーが拭き取る拭き取り操作を検出する。拭き取り操作検出部５９は、タッチパネル１６９が、表示面が指示されている間に連続して出力する複数の座標を受け付ける。第２の検出条件は、タッチパネル１６９により連続して検出される複数の位置がＬＣＤ１６５の表示面を分割した複数の分割領域の２以上の分割領域内に存在することである。すなわち、拭き取り操作検出部５９は、タッチパネル１６９から連続して入力される複数の座標がＬＣＤ１６９の表示面を分割した複数の分割領域のうちの２以上の分割領域に含まれるならば、ユーザーによる拭き取り操作と判断する。しかしながら、拭き取り操作検出部５９は、タッチパネル１６９から連続して入力される複数の座標がＬＣＤ１６９の表示面を分割した複数の分割領域のうち１つの分割領域に含まれるならばユーザーによる拭き取り操作と判断しない。拭き取り操作検出部５９は、ユーザーによる拭き取り操作を検出する場合、拭き取り操作を特定する情報として、タッチパネル１６９から連続して入力される複数の座標の組を、拭き取り操作回数カウント部６１および履歴記憶部６５に出力する。
【００４７】
使用回数カウント部５３は、指示検出部５１より指示操作を特定する情報として座標が入力されるごとに、ＬＣＤ１６９の表示面を分割した複数の分割領域別に使用回数をカウントする。具体的には、使用回数カウント部５３は、ＬＣＤ１６９の表示面を分割した複数の分割領域各々に対応し、使用回数をカウントするための指示回数カウンタを備えており、ＬＣＤ１６９の表示面を分割した複数の分割領域のうち指示検出部５１から入力される座標が属する分割領域に対応する指示操作回数カウンタをインクリメントする。使用回数カウント部５３は、ＬＣＤ１６９の表示面を分割した複数の分割領域ごとの指示操作回数カウンタのカウント値をモード切換部５５および表示態様制御部５７に出力する。
【００４８】
拭き取り操作回数カウント部６１は、拭き取り操作検出部５９により検出された拭き取り操作がされた複数の座標が入力される。拭き取り操作回数カウント部６１は、拭き取り操作検出部５９から複数の座標の組が入力されるごとに、ＬＣＤ１６９の表示面を分割した複数の分割領域別に拭き取り操作回数をカウントする。具体的には、拭き取り操作回数カウント部６１は、ＬＣＤ１６９の表示面を分割した複数の分割領域各々に対応し、拭き取り操作をカウントするための拭き取り操作回数カウンタを備えており、ＬＣＤ１６９の表示面を分割した複数の分割領域のうち拭き取り操作検出部５９から入力される複数の座標の組それぞれが属する複数の分割領域を特定し、特定した複数の分割領域各々に対応する拭き取り操作回数カウンタをインクリメントする。ここでは１つの分割領域の拭き取り操作カウンタの増分は、複数の座標の組に対して「１」である。より具体的には、複数の座標のうち同じ分割領域に含まれる複数の座標が存在する場合であっても、その分割領域に対応する拭き取り操作カウンタの増分は「１」である。拭き取り操作回数カウント部６１は、ＬＣＤ１６９の表示面を分割した複数の分割領域ごとの拭き取り操作回数カウンタのカウント値をモード切換部５５および表示態様制御部５７に出力する。
【００４９】
モード切換部５５は、使用回数カウント部５３から複数の分割領域ごとの使用回数カウント値が入力され、拭き取り操作回数カウント部６１から複数の分割領域ごとの拭き取り操作回数カウント値が入力される。モード切換部５５は、複数の分割領域ごとの使用回数カウント値および拭き取り操作回数カウント値に基づいて、ＬＣＤ１６５の表示モードを切り換える。表示モードは、通常モードと清掃モードとを含む。通常モードと表示モードとでは、ＬＣＤ１６５に表示される画像の表示態様が異なる。ここでは、清掃モードにおいてＬＣＤ１６５に表示される画像は、通常モードにおいてＬＣＤ１６５に表示される画像よりも明度が低い。
【００５０】
モード切換部５５は、表示モードが通常モードの場合に、複数の分割領域ごとの使用回数カウント値の最大値がしきい値Ｔ１を超えると、表示モードを清掃モードに切り換える。
【００５１】
また、モード切換部５５は、表示モードが清掃モードの場合に、複数の分割領域すべてにおいて、当該分割領域の拭き取り操作回数カウント値が、使用回数カウント値に基づいて定まるしきい値Ｔ（ｉ）以上になると、表示モードを通常モードに切り換える。モード切換部５５は、表示モードを切り換える場合、切換後の表示モードを表示態様制御部５７に出力する。但し、しきい値Ｔ（ｉ）は、複数の分割領域のうちｉ番目の分割領域におけるしきい値を示し、使用回数カウント値が大きいほど大きな値が設定される。たとえば、ｉ番目の分割領域の使用回数カウント値が０ならばしきい値Ｔ（ｉ）を「０」に設定し、ｉ番目の分割領域の使用回数カウント値が０より大きく１０以下ならばしきい値Ｔ（ｉ）を「１」に設定し、ｉ番目の分割領域の使用回数カウント値が１０より大きく２０以下ならばしきい値Ｔ（ｉ）を「２」に設定し、ｉ番目の分割領域の使用回数カウント値が２０より大きく３０以下ならばしきい値Ｔ（ｉ）を「３」に設定し、ｉ番目の分割領域の使用回数カウント値が３０より大きく４０以下ならばしきい値Ｔ（ｉ）を「４」に設定し、ｉ番目の分割領域の使用回数カウント値が４０より大きいならばしきい値Ｔ（ｉ）を「５」に設定する。
【００５２】
また、モード切換部５５は、表示モードを清掃モードから通常モードに切り換える場合、リセット部６３にリセット信号を出力する。
【００５３】
複数の分割領域ごとに使用回数カウント値に応じたしきい値Ｔ（ｉ）を定め、モード切換部５５が表示モードを清掃モードから通常モードに切り換える第２切換条件を、複数の分割領域すべてにおいて、当該分割領域の拭き取り操作回数カウント値が、使用回数カウント値に基づいて定まるしきい値Ｔ（ｉ）以上になることとした。このため、使用回数カウント値の大きな分割領域と小さな分割領域とで、拭き取り操作回数が異ならせることができるので、ユーザーは、効率的に拭き取り操作をすることができる。
【００５４】
また、モード切換部５５が表示モードを清掃モードから通常モードに切り換える第２切換条件を、使用回数カウント部５３がカウントする複数の分割領域ごとの使用回数カウント値を、拭き取り操作回数カウント値で除算した値を清掃カウント値とし、清掃カウント値の最大値がしきい値Ｔ２以下になることとしてもよい。
【００５５】
モード切換部５５は、表示モードを清掃モードに切り換えている間はＬＥＤ１７７を点灯または点滅させ、表示モードが通常モードの間はＬＥＤ１７７を消灯させる。これにより、ＬＥＤ１７７の発光状態の違いによって、ユーザーに表示モードを通知することができる。
【００５６】
リセット部６３は、モード切換部５５からリセット信号が入力されると、使用回数カウント部５３がカウントする複数の分割領域ごとの使用回数カウント値を「０」にリセットするとともに、拭き取り操作回数カウント部６１がカウントする複数の分割領域ごとの拭き取り操作回数カウント値を「０」にリセットする。さらに、リセット部６３は、モード切換部５５からリセット信号が入力されると、履歴記憶部６５に消去指示を出力する。
【００５７】
履歴記憶部６５は、拭き取り操作検出部５９から入力される複数の座標の組を時刻と関連付けた履歴情報を、ＨＤＤ１１５に記憶する。また、履歴記憶部６５は、リセット部６３から消去指示が入力されると、ＨＤＤ１１５に記憶された履歴情報をＨＤＤ１１５から消去する。
【００５８】
明るさ検出部６７は、明るさセンサー１７５と接続され、明るさセンサー１７５が出力する光量を、表示態様制御部５７に出力する。
【００５９】
表示態様制御部５７は、モード切換部５５から表示モードが入力され、使用回数カウント部５３から複数の分割領域ごとの使用回数カウント値が入力され、拭き取り操作回数カウント部６１から複数の分割領域ごとの拭き取り操作回数カウント値が入力される。表示態様制御部５７は、ＬＣＤ１６５に表示される画像の表示態様を制御する。ここでは、表示態様制御部５７は、画像の表示態様として画像の明度を制御する。表示態様制御部５７は、モード切換部５５から表示モードとして通常モードが入力される場合、ＬＣＤ１６５に表示される画像の明度を変更しない。具体的には、予め定められた明度で画像を表示する。表示態様制御部５７は、モード切換部５５から表示モードとして清掃モードが入力される場合、ＬＣＤ１６５に表示される画像の明度を、通常モードの場合よりも低下させる。
【００６０】
表示態様制御部５７は、明度決定部７１と、明度変更部７３と、を含む。明度決定部７１は、表示モードが清掃モードの場合に、使用回数カウント部５３から入力される複数の分割領域ごとの使用回数カウント値に基づいて、複数の分割領域ごとに明度の低減率を決定する。使用回数カウント値が大きいほど明度の低減率を大きく決定する。ここでは、明度決定部７１は、使用回数カウント値に応じて、複数の低減レベルを設定し、低減レベルに応じて明度を低減させる割合を定めたレベルテーブルを用いる場合を例に説明する。
【００６１】
図５は、レベルテーブルの一例を示す図である。図５を参照して、レベルテーブルは、使用回数カウント値と、低減レベル、低減率とを関連付ける。具体的には、使用回数カウント値Ｎ１が０ならば低減レベルを第０レベルに分類し、第０レベルの低減率を０％に定める。使用回数カウント値Ｎ１が０より大きく１０以下ならば低減レベルを第１レベルに分類し、第１レベルの低減率を１０％に定める。使用回数カウント値Ｎ１が１０より大きく２０以下ならば低減レベルを第２レベルに分類し、第２レベルの低減率を２０％に定める。使用回数カウント値Ｎ１が２０より大きく３０以下ならば低減レベルを第３レベルに分類し、第３レベルの低減率を３０％に定める。使用回数カウント値Ｎ１が３０より大きく４０以下ならば低減レベルを第４レベルに分類し、第４レベルの低減率を４０％に定める。使用回数カウント値Ｎ１が４０より大きいならば低減レベルを第５レベルに分類し、第５レベルの低減率を５０％に定める。
【００６２】
低減レベルは、上述したしきい値Ｔ（ｉ）と同様に、複数の分割領域ごとに使用回数カウント値Ｎ１によって定まる。このため、低減レベルは、しきい値Ｔ（ｉ）と対応しているのが好ましい。ここでは、低減レベル０にしきい値Ｔ（ｉ）を０に対応させ、低減レベル１にしきい値Ｔ（ｉ）を１に対応させ、低減レベル２にしきい値Ｔ（ｉ）を２に対応させ、低減レベル３にしきい値Ｔ（ｉ）を３に対応させ、低減レベル４にしきい値Ｔ（ｉ）を４に対応させ、低減レベル５にしきい値Ｔ（ｉ）を５に対応させている。
【００６３】
図４に戻って、明度決定部７１は、複数の分割領域ごとに、使用回数カウント値にレベルテーブルにより対応付けられた低減レベルを決定する。明度決定部７１は、複数の分割領域ごとに、決定された低減レベルにレベルテーブルにより対応付けられた低減率を、表示制御部１６１に出力し、表示制御部１６１に、それまで表示していた画像の明度を、複数の分割領域ごとに決定された低減率だけ明度を低くした画像を表示させる。例えば、ある分割領域の低減率が１０％ならば、その分割領域の画像は、明度を９０％にした画像が表示される。
【００６４】
明度決定部７１は、複数の分割領域ごとに、使用回数カウント値に基づいて低減レベルを割り当てるので、複数の分割領域ごとに低減率が異なる場合がある。ユーザーが指でタッチパネル１６９を指示した回数が多いほど、汚れている可能性が高いので、明度が低い分割領域ほど汚れていることを示す。また、ＬＣＤ１６５に表示される画像の内容（形状、色相および彩度）は変化することなく、明度のみが変化するので、ユーザーに故障モードであることを通知することができる。特に、スリープモードにおいてＬＣＤ１６５には画像が表示されず、故障時にはＬＣＤ１６５に画像が表示されないか、真っ白な画像、または操作画面とは異なる画像が表示される場合があるが、清掃モードにおいては通常用いられる操作画面の画像の明度を低減させた画像が表示されるので、スリープモードや故障時においてＬＣＤ１６５に表示される画像と異なる画像を表示することができる。このため、ユーザーに清掃モードであることを通知することができる。
【００６５】
また、明度決定部７１は、明るさ検出部６７から光量が入力される。明度決定部７１は、明るさ検出部６７から入力される光量に基づいて、明度の補正量を決定する。例えば、光量と補正量とを関連付けた補正テーブルを予め準備しておき、明るさ検出部６７から入力される光量に関連付けられた補正量を決定する。補正テーブルは、光量が多いほど明度を高くする補正量が関連付けられる。明度決定部７１は、決定された補正量を表示制御部１６１に出力し、表示制御部にそれまで表示していた画像全体の明度を、補正量だけ補正した画像を表示させる。
【００６６】
明度変更部７３は、明度決定部７１から複数の分割領域ごとの低減レベルが入力され、拭き取り操作回数カウント部６１から複数の分割領域ごとの拭き取り操作回数カウント値が入力される。明度変更部７３は、複数の分割領域ごとに、操作回数カウント値に比例して低減レベルを低下させる。具体的には、ある分割領域の低減レベルが第５レベルで、拭き取り操作回数カウント値が「１」ならば低減レベルを低減レベル４にレベル低下させ、拭き取り操作回数カウント値が「２」ならば低減レベルを低減レベル３にレベル低下させ、拭き取り操作回数カウント値が「３」ならば低減レベルを低減レベル２にレベル低下させ、拭き取り操作回数カウント値が「４」ならば低減レベルを低減レベル１にレベル低下させ、拭き取り操作回数カウント値が「５」以上ならば低減レベルを低減レベル０にレベル低下させる。また、ある分割領域の低減レベルが第３レベルで、拭き取り操作回数カウント値が「１」ならば低減レベルを低減レベル２にレベル低下させ、拭き取り操作回数カウント値が「２」ならば低減レベルを低減レベル１にレベル低下させ、拭き取り操作回数カウント値が「３」以上ならば低減レベルを低減レベル０にレベル低下させる。
【００６７】
明度変更部７３は、複数の分割領域ごとに拭き取り操作回数カウント値に基づいて、明度決定部７１により決定された低減レベルを低下させるので、ユーザーが拭き取り操作をするごとに、拭き取り操作をした部分の分割領域の低減レベルが低下し、明度が徐々に元の明度に戻る。このため、拭き取り操作をした分割領域を、明度の変化でユーザーに通知することができる。また、ユーザーは、ＬＣＤ１６５に表示された画像を見て、他の分割領域に比較して明度の低い分割領域を判別することができ、拭き取り操作が必要であることを知ることができる。
【００６８】
図６（Ａ）は、複数に分割された分割領域それぞれの低減レベルの一例を示す図である。図６（Ａ）を参照して、１つの分割領域を１つの枠で示し、細線のハッチングで示す分割領域は、第１低減レベルであることを示し、太線のハッチングで示す分割領域は第２低減レベルであることを示している。太線のハッチングで示される分割領域は、細線のハッチングで示す分割領域よりも明度が低く表示されるので、明度の違いから汚れている可能性の度合いが高いことを、ユーザーに通知することができる。また、太線のハッチングおよび細線のハッチングのいずれも付されていない分割領域は、ハッチングが付された分割領域よりも明度が高く表示されるので、明度の違いから汚れている可能性の低いことをユーザーに通知することができる。
【００６９】
図６（Ｂ）は、複数に分割された分割領域それぞれの拭き取り操作回数を示す。ここでは、拭き取り操作回数が１回の分割領域を横線のハッチングで示している。図６（Ｃ）は、複数に分割された分割領域それぞれの拭き取り操作後の低減レベルの一例を示す図である。図６（Ａ）に示した低減レベルにおいて、１回の拭き取り操作が図６（Ｂ）に示す分割領域にされた場合における低減レベルを示している。拭き取り操作がされた分割領域については、第１低減レベルであった分割領域が低減レベル０に変更され、第２低減レベルであった分割領域が第１低減レベルに変更されている。このため、拭き取り操作がさらに必要な分割領域を、明度の違いでユーザーに通知することができる。
【００７０】
図７は、表示モード切換処理の流れの一例を示すフローチャートである。表示モード切換処理は、ＭＦＰ１００が備えるＣＰＵ１１１が、ＲＯＭ１１３、ＨＤＤ１１５またはＣＤ−ＲＯＭ１１８に記憶されたプログラムを実行することにより、ＣＰＵ１１１により実行される処理である。
【００７１】
図７を参照して、ＣＰＵ１１１は、表示モードを通常モードに設定する（ステップＳ０１）。次のステップＳ０２においては、指示位置を検出したか否かを判断する。タッチパネル１６９から座標が入力されたならば、指示位置を検出したと判断する。指示位置を検出するまで待機状態となり（ステップＳ０２でＮＯ）、指示位置を検出すると処理をステップＳ０３に進める。
【００７２】
ステップＳ０３においては、変数ｎに「１」を設定する。変数ｎは、複数の分割領域のいずれかを特定するための変数である。次のステップＳ０４においては、複数の分割領域のうちステップＳ０２において検出された指示位置を含む分割領域を第１領域として特定する。次のステップＳ０５においては、ステップＳ０２と同様に、指示位置を検出したか否かを判断する。指示位置を検出したならば処理をステップＳ０６に進めるが、そうでなければ処理をステップＳ０９に進める。処理がステップＳ０６に進む場合は、タッチパネル１６９により連続して指示位置が検出された場合である。
【００７３】
ステップＳ０６においては、複数の分割領域のうちステップＳ０５において検出された指示位置を含む分割領域を特定する。そして、ステップＳ０７においては、ステップＳ０６において特定された分割領域が第ｎ領域と同じか否かを判断する。ｎ＝１ならばステップＳ０４において特定された第１領域と同じか否かを判断する。ステップＳ０６において特定された分割領域が第ｎ領域と同じならば処理をステップＳ０５に戻すが、同じでなければ処理をステップＳ０８に進める。変数ｎが「１」の場合に、処理がステップＳ０５に戻る場合は、第１領域内の座標が指示位置として連続して検出された場合である。
【００７４】
ステップＳ０５において、指示位置が検出されない場合は処理がステップＳ１０に進む。処理がステップＳ１０に進む場合は、タッチパネル１６９から連続して入力されていた座標が入力されなくなる場合であり、ユーザーがタッチパネル１６９を指示する操作を止めた場合である。
【００７５】
ステップＳ１０においては、変数ｎの値によって処理を分岐させる。変数ｎが「１」ならば処理をステップＳ１１に進め、「１」以外の場合は処理をステップＳ１５に進める。変数ｎが「１」の場合は、ユーザーによる指示操作を検出する場合であり、変数ｎが「１」以外の場合は、ユーザーによる拭き取り操作を検出する場合である。
【００７６】
ステップＳ１１においては、第１領域に対応する使用回数をインクリメントする。そして、ステップＳ１２においては、第１領域のしきい値Ｔ（ｉ）を設定する。しきい値Ｔ（ｉ）は、第１領域である第ｉ番目の分割領域に対応するしきい値Ｔ（ｉ）を示す。しきい値Ｔ（ｉ）は、使用回数によって定まる。ここでは、使用回数が０ならばしきい値Ｔ（ｉ）を「０」に設定し、使用回数が０より大きく１０以下ならばしきい値Ｔ（ｉ）を「１」に設定し、使用回数が１０より大きく２０以下ならばしきい値Ｔ（ｉ）を「２」に設定し、使用回数が２０より大きく３０以下ならばしきい値Ｔ（ｉ）を「３」に設定し、使用回数が３０より大きく４０以下ならばしきい値Ｔ（ｉ）を「４」に設定し、使用回数カウント値が４０より大きいならばしきい値Ｔ（ｉ）を「５」に設定する。
【００７７】
次のステップＳ１３においては、ステップＳ０２において検出された指示位置と、その時の時刻とを含む履歴情報をＨＤＤ１１５に記憶する。
【００７８】
次のステップＳ１４においては、複数の分割領域各々に対応する使用回数の最大値がしきい値Ｔ１以上となったか否かを判断する。使用回数の最大値がしきい値Ｔ１以上ならば処理をステップＳ１４に進めるが、そうでなければステップＳ１５をスキップして処理をステップＳ２１に進める。ステップＳ１５においては、表示モードを清掃モードに設定し、処理をステップＳ２１に進める。この際、ＬＥＤ１７７を点灯または点滅させる。なお、ここでは使用回数の最大値がしきい値Ｔ１以上となった場合に表示モードを清掃モードに切り換える例を説明したが、複数の分割領域各々に対応する使用回数の平均値をしきい値と比較することによって、表示モードを清掃モードに切り換えるトリガーとしてもよい。
【００７９】
処理がステップＳ１６に進む場合は、タッチパネル１６９またはＬＣＤ１６５の表示面を分割した複数の分割領域のうち異なる２以上の分割領域である第１領域〜第ｎ領域が指示された場合である。ステップＳ１６においては、第１領域〜第ｎ領域それぞれに対応する拭き取り操作回数をインクリメントする。ステップＳ１７においては、表示モードが清掃モードに設定されているか否かを判断する。表示モードが清掃モードに設定されているならば処理をステップＳ１８に進めるが、そうでなければ処理をステップＳ２１に進める。
【００８０】
ステップＳ１８においては、複数の分割領域すべてにおいて、拭き取り操作回数が当該分割領域に対応するしきい値Ｔ（ｉ）以上であるか否かを判断する。しきい値Ｔ（ｉ）は、ｉ番目の分割領域に対応するしきい値Ｔ（ｉ）を示し、ステップＳ１２において設定される値である。複数の分割領域を順に選択し、第ｉ番目の分割領域に対応する拭き取り操作回数を、第ｉ番目の分割領域に対応するしきい値Ｔ（ｉ）と比較し、分割領域ごとに、拭き取り操作回数が、しきい値Ｔ（ｉ）以上となったか否かを判断する。複数の分割領域のすべてにおいて、拭き取り操作回数がしきい値Ｔ（ｉ）以上となったならば処理をステップＳ１９に進めるが、そうでなければ処理をステップＳ２１に進める。
【００８１】
ステップＳ１９においては、表示モードを通常モードに切り換え、処理をステップＳ１８に進める。この場合、ＬＥＤ１７７を消灯させる。ステップＳ１８においては、複数の分割領域それぞれの使用回数と拭き取り操作回数とを「０」にリセットし、ＨＤＤ１１５に記憶された履歴情報を消去し、処理をステップＳ２１に進める。
【００８２】
ステップＳ２１においては、電源がオフになったか否かを判断する。ＭＦＰ１００の電源がオフになってならば処理を終了するが、そうでなければ処理をステップＳ０２に戻す。
【００８３】
図８は、表示態様変更処理の流れの一例を示すフローチャートである。表示態様変更処理は、ＭＦＰ１００が備えるＣＰＵ１１１が、ＲＯＭ１１３、ＨＤＤ１１５またはＣＤ−ＲＯＭ１１８に記憶されたプログラムを実行することにより、ＣＰＵ１１１により実行される処理である。
【００８４】
図８を参照して、ＣＰＵ１１１は、ＬＣＤ１６５に表示する画面を取得する（ステップＳ３１）。次のステップＳ３２においては、表示モードによって処理を分岐させる。表示モードが清掃モードに設定されているならば処理をステップＳ３３に進めるが、そうでなければ処理をステップＳ４４に進める。
【００８５】
ステップＳ４４においては、ステップＳ３１において取得された画面を表示制御部１６１に出力し、ＬＣＤ１６５に表示させる。その後、処理をステップＳ３１に戻す。表示制御部１６１に出力する画面は、明るさセンサー１７５により検出された光量に基づいて決定される補正量で、補正された後の画面である。
【００８６】
ステップＳ３３においては、ステップＳ３１において取得された画面を複数の分割領域に分割する。この時点において分割する分割領域は、表示モード切換処理において、タッチパネル１６９またはＬＣＤ１６５の表示面を複数に分割した分割領域と同じである。次のステップＳ３４においては、複数の分割領域のうちから１つを処理対象に選択する。そして、選択された分割領域に対応する使用回数を取得する（ステップＳ３５）。
【００８７】
次のステップＳ３６においては、ステップＳ３５において取得された使用回数に基づいて低減レベルを決定する。ＨＤＤ１１０号に予め記憶され、図５に示したレベルテーブルを参照して、使用回数に対応する低減レベルを決定する。次のステップＳ３７においては、ステップＳ３４において選択された分割領域に対応する拭き取り回数を取得する。そして、取得された拭き取り操作回数から低減レベルを変更する（ステップＳ３８）。１回の拭き取り操作回数に対して低減レベルを１つ低下させる。具体的には、低減レベルが第５レベルで、拭き取り操作回数が「１」ならば低減レベル４に低下させ、拭き取り操作回数が「２」ならば低減レベル３に低下させ、拭き取り操作回数が「３」ならば低減レベル２に低下させ、拭き取り操作回数が「４」ならば低減レベル１にレベル低下させ、拭き取り操作回数が「５」以上ならば低減レベル０に低下させる。また、ある分割領域の低減レベルが第３レベルで、拭き取り操作回数が「１」ならば低減レベル２にレベル低下させ、拭き取り操作回数が「２」ならば低減レベル１に低下させ、拭き取り操作回数が「３」以上ならば低減レベル０に低下させる。
【００８８】
次のステップＳ３９においては、ステップＳ３４において処理対象に選択された分割領域の明度を変更する。ステップＳ３６において決定され、ステップＳ３８において変更された低減レベルにレベルテーブルによって対応付けられた低減率を決定し、ステップＳ３４において選択された分割領域の画像の明度を、変更する。
【００８９】
そして、次のステップＳ４０においては、補正量を取得する。明るさセンサー１７５により検出された光量に基づいて、補正量を決定する。そして、ステップＳ４１において、ステップＳ３９において明度が変更された分割領域の明度を、決定された補正量で補正する。
【００９０】
次のステップＳ４２においては、複数の分割領域のうちから、処理対象に選択されていない分割領域が存在するか否かを判断する。未だ処理対象に選択されていない分割領域が存在するならば処理をステップＳ３４に戻すが、そうでなければ処理をステップＳ４３に進める。ステップＳ４３においては、明度が補正された画面を表示制御部１６１に出力し、ＬＣＤ１６５に表示させる。
【００９１】
以上説明したように本実施の形態におけるＭＦＰ１００は、タッチパネル１６９により連続して検出される１以上の位置が表示面を分割した複数の分割領域の１つの分割領域内の場合に、指示操作を検出し、複数の分割領域ごとに指示回数をカウントし、タッチパネル１６９により連続して検出される複数の位置が表示面を分割した複数の分割領域のうち隣接する２以上の分割領域内の場合に、拭き取り操作を検出し、複数の分割領域ごとに拭き取り操作回数をカウントし、指示回数および拭き取り操作回数に基づいて、表示モードを、通常モードと通常モードとは画像の表示態様が異なる清掃モードとのいずれかに切り換える。指示回数および拭き取り操作回数に基づいて、表示モードを切り換え、通常モードと清掃モードとでは、画像の表示態様が異なる。このため、清掃時期を自動的にユーザーに通知することができるとともに、表示態様の違いから表示モードをユーザーに通知することができる。画像が表示された状態で、表示態様のみを変化させるので、スリープモード時および故障時の表示と異ならせることができる。
【００９２】
また、表示モードが清掃モードに設定されている間は、ＬＣＤ１６５に表示される操作画面の明度を、通常モードに設定されている間にＬＣＤ１６５に表示される操作画面の明度よりも低くする。このため、明度の違いから表示モードをユーザーに通知することができる。
【００９３】
また、複数の分割領域ごとにカウントされた指示回数に基づいて、操作画面の明度を部分的に決定するので、複数の分割領域ごとに指示回数をユーザーに通知することができる。指示回数が多いほど、汚れている可能性が高いので、汚れている可能性の高い部分を、明度の違いでユーザーに通知することができる。
【００９４】
また、複数の分割領域ごとにカウントされた拭き取り操作回数に基づいて、操作画面の明度を部分的に変更するので、複数の分割領域ごとに拭き取り操作回数をユーザーに通知することができる。拭き取り操作がされていない分割領域、拭き取り操作がされた分割領域だけれども、さらなる拭き取りが必要とされる分割領域を、明度の違いでユーザーに通知することができる。
【００９５】
さらに、明るさセンサー１７５により検出された光量に基づいて、操作画面の明度を補正するので、環境の変化に対応して見やすい操作画面を表示することができる。
【００９６】
なお、本実施の形態においては、画像の表示態様を変更する一例として、画面の明度を部分的に変更する例を示したが、ＬＣＤ１６５のバックライトの光量を部分的に変更するようにしてもよい。
【００９７】
なお、上述した実施の形態においては、画像処理装置の一例としてＭＦＰ１００について説明したが、図７および図８に示した表示モード切換処理をＭＦＰ１００に実行させる表示制御方法、またはその表示制御方法をＭＦＰ１００を制御するＣＰＵ１１１に実行させるための表示制御プログラムとして発明を特定することができるのは言うまでもない。
【００９８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００９９】
＜付記＞
（１）  前記表示手段とは別に設けられ、前記表示モードを通知するために発光する発光手段を、さらに備えた、請求項１〜９のいずれかに記載の画像形成装置。
（２）  前記表示手段とは別に設けられ、前記表示モードを通知するために音を出力する音出力手段を、さらに備えた、請求項１〜９のいずれかに記載の画像形成装置。
【符号の説明】
【０１００】
１００  ＭＦＰ、５１  指示検出部、５３  使用回数カウント部、５５  モード切換部、５７  表示態様制御部、５９  操作検出部、６１  操作回数カウント部、６３  リセット部、６５  履歴記憶部、６７  明るさ検出部、７１  明度決定部、７３  明度変更部、１１０  メイン回路、１１１  ＣＰＵ、１１２  通信Ｉ／Ｆ部、１１３  ＲＯＭ、１１４  ＲＡＭ、１１５  ＨＤＤ、１１６  ファクシミリ部、１１７  外部記憶装置、１２０  自動原稿搬送装置、１３０  原稿読取部、１４０  画像形成部、１５０  給紙部、１６０  操作パネル、１６１  表示制御部、１６３  ＶＲＡＭ、１６５  ＬＣＤ、１６７  入力制御部、１６９  タッチパネル、１７０  ハードキー部、１７１  スタートキー、１７５  明るさセンサー。
【図１】
2013019932.tif 000003
【図２】
2013019932.tif 000004
【図３】
2013019932.tif 000005
【図４】
2013019932.tif 000006
【図５】
2013019932.tif 000007
【図６】
2013019932.tif 000008
【図７】
2013019932.tif 000009
【図８】
2013019932.tif 000010